(57)【要約】【課題】意匠性の向上を図ることができ、しかもこのように意匠性向上を図っても物品のサイズ大型化を極力抑えることができる照明機能付き物品を提供する。【解決手段】洗面化粧台のミラーキャビネットには、キャビネットの扉部品に鏡１２が一体に組み付けられた鏡扉１１（１１ａ）が開閉可能に取り付けられる。この鏡扉１１の裏面には、洗面化粧台の照明として平面放電ランプ１７が取り付けられている。鏡１２は、平面放電ランプ１７の取り付いた箇所がガラス板のみの透明部とされることにより、光が透過可能な照射部１８となっている。平面放電ランプ１７の照射光は、この照射部１８を介して鏡前面に引き出される。【選択図】図３
2009272094.tif 000002
【特許請求の範囲】
【請求項１】
物品の一構成部品である基材の周りを照明可能な光源を備えた照明機能付き物品において、
前記基材の裏面側に前記光源として平面光源を配置し、当該平面光源の光を、使用者を直接照らす直接光又は間接的に照らす間接光として前記基材の裏面から引き出すことにより、前記基材周りの照明が可能となっていることを特徴とする照明機能付き物品。
【請求項２】
前記基材は少なくとも鏡を備えた鏡部品であって、当該鏡の裏面側に前記平面光源が配置されていることを特徴とする請求項１に記載の照明機能付き物品。
【請求項３】
前記基材は、前記物品に設けられた開口入口を開け閉めする扉として使用されていることを特徴とする請求項１又は２に記載の照明機能付き物品。
【請求項４】
前記平面光源は、放電ガスのバリア放電により発生する光を照射光として使用する放電ランプであることを特徴とする請求項１〜３のうちいずれか一項に記載の照明機能付き物品。
【請求項５】
前記平面光源は、前記基材の裏面に一体に取り付けられていることを特徴とする請求項１〜４のうちいずれか一項に記載の照明機能付き物品。
【請求項６】
前記基材の裏面には、当該基材の本体部分である基材本体部を裏面側から保護する裏面保護部材が設けられ、当該裏面保護部材に前記平面光源が取り付けられていることを特徴とする請求項１〜５のうちいずれか一項に記載の照明機能付き物品。
【請求項７】
前記基材の裏面には、前記平面光源の収納先として光源収納部が設けられ、当該光源収納部には、当該収納部の収納開口を閉じ得る蓋材が設けられていることを特徴とする請求項１〜６のうちいずれか一項に記載の照明機能付き物品。
【請求項８】
前記基材の裏面には、前記平面光源の収納先として光源収納部が設けられ、当該光源収納部の壁部には、当該収納部内の空気を外気と循環させるダクトが設けられていることを特徴とする請求項７に記載の照明機能付き物品。
【請求項９】
前記基材の裏面には、前記平面光源の取り付け先として光源取付部が設けられ、当該光源取付部には、前記平面光源を前記光源取付部において位置決め可能な位置決め部が設けられていることを特徴とする請求項１〜８のうちいずれか一項に記載の照明機能付き物品。
【請求項１０】
前記鏡は、中央の鏡に対して両サイドの鏡が当該中央の鏡に対して角度を切り換え操作可能な三面鏡であることを特徴とする請求項２〜９のうちいずれか一項に記載の照明機能付き物品。
【請求項１１】
前記平面光源の点灯消灯を管理する駆動制御部は、前記平面光源とともに前記基材に一体に取り付けられていることを特徴とする請求項１〜１０のうちいずれか一項に記載の照明機能付き物品。
【請求項１２】
前記平面光源は、その表裏の両面から光を照射可能な両面発光式であることを特徴とする請求項１〜１１のうちいずれか一項に記載の照明機能付き物品。
【請求項１３】
前記基材の裏面には、前記平面光源の点灯消灯を管理する駆動制御部に繋がる配線を掛け止め可能な配線止め部が設けられていることを特徴とする請求項１〜１２のうちいずれか一項に記載の照明機能付き物品。
【請求項１４】
前記平面光源は、自身が発生する熱を直接又は熱伝導部材を介して、前記基材としての鏡に伝達することにより、前記鏡の曇止めとして利用されていることを特徴とする請求項１〜１３のうちいずれか一項に記載の照明機能付き物品。
【請求項１５】
前記基材には、前記平面光源の照射光を通すことが可能な照射部が形成され、前記平面光源の照射光を前記照射部に通して前記直接光として引き出すことにより、前記照明を行うことを特徴とする請求項１〜１４のうちいずれか一項に記載の照明機能付き物品。
【発明の詳細な説明】
【技術分野】
【０００１】
本発明は、照明により物品自体若しくは物品周囲を明るく照らし出すことが可能な照明機能付き物品に関する。
【背景技術】
【０００２】
従来から、洗面所等で洗顔、洗髪、化粧を行うために、水栓、洗面ボウル、鏡、収納等などが一体化された設備ユニットとして洗面化粧台が広く使用されている。この種の洗面化粧台は、例えば特許文献１〜４等の文献に種々開示されている。この種の洗面化粧台には、キャビネット（収納棚）の扉外面に鏡が取り付いたミラーキャビネットが設けられている。このミラーキャビネットには、鏡に映る使用者を明るく照らし出す照明装置が設置された種類のものがある。このように、ミラーキャビネットに照明装置を設置するのは、例えば使用者が洗面化粧台で化粧をする時にこれを補助すべく使用者の顔等を光で照らし出すためである。
【特許文献１】特開平７−１２４０２５号公報
【特許文献２】特開平１０−１７９２８０号公報
【特許文献３】特開２００５−３２３６５９号公報
【特許文献４】特開２００６−１２２２８８号公報
【発明の開示】
【発明が解決しようとする課題】
【０００３】
しかし、これら公開公報における照明装置は、ミラーキャビネットにおいてその前面側（表面側）で露出する状態で取り付けられることが一般的である。よって、この種のミラーキャビネットにおいては、照明装置と鏡とで部品が分かれる箇所にこれら部品を繋ぐ段部等の境目（繋ぎ目）が発生してしまうので、ミラーキャビネットひいては洗面化粧台の意匠性が損なわれる問題があった。特に、ミラーキャビネットにおいては、使用者をより明るく照らし出そうとした場合、使用者と向き合う位置（上部や前面）に照明装置を配置せざるを得なくなり、照明装置と鏡の境目がこのような使用者の目に付き易い場所に位置すると、意匠性の低さに伴う種々の問題が顕著になる現状があった。また、洗面化粧台の意匠性を向上するに当たって、逆に化粧台サイズが大きくなってしまっては意味がないので、意匠性の向上を図っても洗面化粧台のサイズが大型化しない技術が要望されていた。
【０００４】
本発明の目的は、意匠性の向上を図ることができ、しかもこのように意匠性向上を図っても物品のサイズ大型化を極力抑えることができる照明機能付き物品を提供することにある。
【課題を解決するための手段】
【０００５】
前記問題点を解決するために、本発明では、物品の一構成部品である基材の周りを照明可能な光源を備えた照明機能付き物品において、前記基材の裏面側に前記光源として平面光源を配置し、当該平面光源の光を、使用者を直接照らす直接光又は間接的に照らす間接光として前記基材の裏面から引き出すことにより、前記基材周りの照明が可能となっていることを要旨とする。
【０００６】
この構成によれば、照明として機能する光源を持ったこの種の照明機能付き物品において、この光源を基材の裏面側に配置した。よって、基材と光源との境目（段部等）が基材の表側に露出しなくなるので、この種の照明機能付き物品の基材においてその表側の意匠性が低くならずに済む。また、光源として厚さが薄い平面光源を使用しているので、基材の裏面側に光源を置くようにしても、これら部品群に要する厚さは極力薄くすることが可能となる。よって、基材の表側の意匠性向上を狙って基材の裏面側に光源を配置しても、物品の厚さ方向におけるサイズ大型化も極力小さく抑えることが可能となる。なお、定義として直接光とは、例えば光を反射させることなく直接（ストレート）に対象物を照射する光のことを言い、間接光とは、光を例えば反射板等によって対象物を直接照射しない光のことを言う。また、これ以外の定義として基材とは、物品の主機能あるいは本質的な機能を担う部材のことを言い、例えば物品が鏡部品の時は鏡、物品がインテリア部品の時はインテリアが載ったボード、物品が窓の時はガラスが当てはまる。また、基材のこれ以外の定義としては、例えば部材の表と裏のように空間を二分できるもののことを言う。
【０００７】
本発明では、前記基材は少なくとも鏡を備えた鏡部品であって、当該鏡の裏面側に前記平面光源が配置されていることを要旨とする。
この構成によれば、基材は鏡部品であるので、物品備え付けの光源を鏡の照明として使用することが可能となる。よって、鏡の使用者を光源により照明することが可能となるので、使用者が例えば化粧等の身だしなみ作業を行う際に、この作業が行い易くなる。
【０００８】
本発明では、前記基材は、前記物品に設けられた開口入口を開け閉めする扉として使用されていることを要旨とする。
この構成によれば、基材は扉として使用されているので、この扉が光源によって照明可能とされていても、扉の意匠性が大きく損なわれずに済む。
【０００９】
本発明では、前記平面光源は、放電ガスのバリア放電により発生する光を照射光として使用する放電ランプであることを要旨とする。
この構成によれば、平面光源として放電ランプを使用しているが、この種の放電ランプには、例えばＬＥＤを使用したエッジライトや有機ＥＬや通常の蛍光灯等と比較した場合、例えば照度が高い、発光面から均一に光を発光可能、点灯に対する高耐久性、長寿命（例えば4万時間以上）、瞬時に点灯可能、使用温度範囲が広い（例えば−30〜＋80度）などの様々な利点がある。よって、本構成のように平面光源として放電ランプを使用すれば、これらの効果を享受することが可能となる。また、放電ランプにおいては様々な平面形状をとらせることも可能であり、しかも放電ランプに使用する蛍光体や放電ガスの種類によって様々な色の光を照射光として引き出すことも可能となる。
【００１０】
本発明では、前記平面光源は、前記基材の裏面に一体に取り付けられていることを要旨とする。
この構成によれば、基材の裏面に平面光源が一体に取り付けられているので、例えばこれら部品群を１つにまとめることにより、基材に平面光源が組み付いた１つの部品ユニットとして製造することが可能となる。このため、これら基材及び平面光源の部品群を、１つのユニット部品として製造販売することが可能となる。
【００１１】
本発明では、前記基材の裏面には、当該基材の本体部分である基材本体部を裏面側から保護する裏面保護部材が設けられ、当該裏面保護部材に前記平面光源が取り付けられていることを要旨とする。
【００１２】
この構成によれば、基材の裏面に裏面保護部材が設けられているので、基材の裏面を衝撃等から保護することが可能となる。
本発明では、前記基材の裏面には、前記平面光源の収納先として光源収納部が設けられ、当該光源収納部には、当該収納部の収納開口を閉じ得る蓋材が設けられていることを要旨とする。
【００１３】
この構成によれば、基材の裏面に設けられた光源収納部は、蓋材によってその収納開口を閉じることが可能である。よって、平面光源を光源収納部に収納した際、この平面光源を外部に露出したままの状態にせずに済むので、平面光源に破損等を生じ難くすることが可能となる。
【００１４】
本発明では、前記基材の裏面には、前記平面光源の収納先として光源収納部が設けられ、当該光源収納部の壁部には、当該収納部内の空気を外気と循環させるダクトが設けられていることを要旨とする。
【００１５】
この構成によれば、光源収納部の壁部にダクトを設けたので、光源収納部内の空気を外部に排気可能となる。よって、光源収納部内の平面光源が熱を持って光源収納部内の空気が熱くなったとしても、この熱がダクトから外部に放出されるので、平面光源を過熱から保護することが可能となる。
【００１６】
本発明では、前記基材の裏面には、前記平面光源の取り付け先として光源取付部が設けられ、当該光源取付部には、前記平面光源を前記光源取付部において位置決め可能な位置決め部が設けられていることを要旨とする。
【００１７】
この構成によれば、平面光源を光源取付部に取り付ける際には、この光源取付部の取り付け先に形成された位置決め部によって平面光源が所定位置に位置決めされる。よって、平面光源を光源取付部に取り付けるに際しては、位置決め部によってその取り付け位置が案内されるので、平面光源を好適な位置に取り付けることが可能となる。
【００１８】
本発明では、前記鏡は、中央の鏡に対して両サイドの鏡が当該中央の鏡に対して角度を切り換え操作可能な三面鏡であることを要旨とする。
この構成によれば、例えば両サイドの鏡に平面光源を取り付けた場合、この両サイドの鏡の角度（向き）を切り換えれば、これら平面光源から鏡の使用者に向かう光の照射向きを自由に切り換えることが可能となる。よって、平面光源から鏡の使用者に向かって出される光の照射向きを自由に変更することが可能となるので、使用者を丁度よい明るさで照らし出すことが可能となる。また、中央の鏡にのみ平面光源を取り付けた場合であっても、両サイドの鏡の角度を切り換えれば、中央鏡の平面光源から鏡の使用者に照射される光の照射量（光量）は、両サイドの鏡の角度に応じて鏡の使用者に向かう光の反射量が変わるので、この場合も使用者に照射する光の照射量を適宜調整することが可能となる。
【００１９】
本発明では、前記平面光源の点灯消灯を管理する駆動制御部は、前記平面光源とともに前記基材に一体に取り付けられていることを要旨とする。
この構成によれば、駆動制御部は平面光源とともに基材に取り付けられるので、例えば基材に平面光源及び駆動制御部が組み付いた部品ユニットとして製造することが可能となる。このため、これら基材、平面光源及び駆動制御部の部品群を、一部品として販売することが可能となる。
【００２０】
本発明では、前記平面光源は、その表裏の両面から光を照射可能な両面発光式であることを要旨とする。
この構成によれば、平面光源が両面発光式であるので、基材の表側のみならず、基材の裏側も平面光源により照明することが可能となる。よって、もし仮にこの基材を扉として使用した場合には、この扉により開閉される開口部の内部もこの平面光源により照明することが可能となる。
【００２１】
本発明では、前記基材の裏面には、前記平面光源の点灯消灯を管理する駆動制御部に繋がる配線を掛け止め可能な配線止め部が設けられていることを要旨とする。
この構成によれば、平面光源と駆動制御部とを繋ぐ配線を配線止め部に配線を止めておけば、配線が基材の裏面で邪魔になり難い。
【００２２】
本発明では、前記平面光源は、自身が発生する熱を直接又は熱伝導部材を介して、前記基材としての鏡に伝達することにより、前記鏡の曇止めとして利用されていることを要旨とする。
【００２３】
この構成によれば、平面光源が発生する熱を鏡の曇止めとして利用するので、平面光源が発する熱を有効利用して鏡の曇止めを行うことが可能となる。ところで、例えば基材にヒータを取り付けて鏡の曇止めを行うことも想定されるが、ヒータの熱は鏡においてヒータが及ばない場所まで行き届き難い現状があるので、仮に鏡にヒータを設けたとしても、この時はヒータが位置する箇所の曇止めは図られるが、鏡全体を曇止めすることはできない現状がある。しかし、本構成のように平面光源の熱を曇止めに利用する場合、この熱を鏡においてヒータの熱が行き届かない場所に伝えるようにすれば、ヒータのデッドエリアが平面光源でカバーされることになるので、鏡をより広範囲に亘り曇り難くすることが可能となる。
【００２４】
本発明では、前記基材には、前記平面光源の照射光を通すことが可能な照射部が形成され、前記平面光源の照射光を前記照射部に通して前記直接光として引き出すことにより、前記照明を行うことを要旨とする。
【００２５】
この構成によれば、平面光源の照射光を直接的に引き出した直接光により照明を行うので、照明対象（使用者）に照射される光量が多くとれることになり、より明るい照明が可能となる。
【発明の効果】
【００２６】
本発明によれば、意匠性の向上を図ることができ、しかもこのように意匠性向上を図っても物品のサイズ大型化を極力抑えることができる。
【発明を実施するための最良の形態】
【００２７】
以下、本発明を具体化した照明機能付き物品の一実施形態を図１〜図７に従って説明する。
図１に示すように、住宅の洗面所や浴槽等の水回りフロアには、洗顔、洗髪、化粧を行う際に使用する各種設備が一体化された設備ユニットとして洗面化粧台１が設置されている。この洗面化粧台１には、手や顔を水（冷水、湯）で洗う際に使用する洗い設備として洗面台２が設けられている。この洗面台２の上面には、水の出し口である水栓３と、水栓３からの水を受けたり溜めたりする洗面器として洗面ボウル４が取り付けられている。洗面台２において洗面ボウル４の下部には、洗面台２の収納箇所としてアウターキャビネット５が設けられている。
【００２８】
図２に示すように、洗面台２の上面奥寄りの位置には、鏡付きの収納設備としてミラーキャビネット６が設けられている。このミラーキャビネット６のキャビネット本体７の内部には、各種物品の収納箇所として複数（本例は３つ）の収納室８〜１０が設けられている。また、キャビネット本体７の前面には、これら収納室８〜１０を開閉する扉１１が各々の収納室８〜１０ごとに設けられている。扉１１は、主として鏡１２により形成されていることから鏡扉１１となっている。この種の鏡１２は、ガラス板の裏面にアルミニウムや銀等の金属を蒸着し、金属の光反射を利用して物を映し出すものである。鏡扉１１は、平板形状をなしつつその表面側が鏡面となる向きに配置され、使用者側から見て中央の鏡扉が中央鏡扉１１ａ、使用者側から見て左側の鏡扉が左鏡扉１１ｂ、使用者側から見て右側の鏡扉が右鏡扉１１ｃとなっている。これら鏡扉１１ａ〜１１ｃは、扉上下方向辺がヒンジ部１３となって開閉操作が可能な横開き式となっている。また、鏡扉１１ａ〜１１ｃは、左鏡扉１１ｂ及び右鏡扉１１ｃが両方とも内に向かって開き操作可能となっているので、三面鏡として使用可能となっている。なお、収納室８〜１０が開口入口に相当し、１１（１１ａ〜１１ｃ）が照明機能付き物品に相当する。また、鏡１２が基材（構成部品、鏡部品）及び基材本体部を構成する。
【００２９】
図３〜図６に示すように、中央鏡扉１１ａの裏面には、表面側の鏡１２を裏面から一帯に覆う樹脂製の鏡裏面保護カバー１４が設けられている。この鏡裏面保護カバー１４は、鏡１２を裏面側から保護するためのものであって、色（例えば収納室８〜１０の内壁と同色）が付いた長四角の薄い平板形状に形成されている。鏡１２及び鏡裏面保護カバー１４は、上部及び下部にそれぞれ上部フレーム１５及び下部フレーム１６が取り付け固定され、これらフレーム１５，１６がキャビネット本体７への取り付け先となっている。なお、左鏡扉１１ｂ及び右鏡扉１１ｃも中央鏡扉１１ａと同様の鏡扉構造をとっているが、構造は基本的に同じであるので、詳細については省略する。なお、鏡裏面保護カバー１４が基材（鏡部品）及び裏面保護部材を構成する。
【００３０】
図４及び図５に示すように、中央鏡扉１１ａの裏面には、洗面化粧台１の照明機器として一対の放電ランプ（放電灯や放電管とも言う）１７，１７が取り付けられている。放電ランプ１７は、鏡１２（洗面化粧台１）の使用者をその前方から照らし出して、この使用者を鏡１２に鮮明に映り込ませるように働く。この種の放電ランプ１７は、電極面に誘電体が取着された一対の電極を向き合わせ状態で封止することによりランプ筐体が形成されつつ、このランプ筐体内に放電ガスが充填された構造をとる。放電ランプ１７は、両電極間に高電圧の交流電圧Ｖout（図５参照）が印加されると、両誘電体間に放電（一般に、誘電体バリア放電と言う）が発生しつつ、この放電によって放電ガスが電離して放電プラズマが発生する状態となり、この放電プラズマにより発生する光を照射光として引き出している。
【００３１】
また、本例の放電ランプ１７は、ランプ筐体を薄い平板形状に形成することにより、ランプ厚さが極力薄く抑えられた平面放電ランプ１７となっている。なお、本願出願人は、例えば特開２００７−１４９６９７号公報や特開２００７−１８８７７２号公報等でこの種の平面放電ランプ１７の技術を提案している。平面放電ランプ１７は、長細い四角形状に形成されるとともに、中央鏡扉１１ａの裏面において上部の幅方向両端位置に配置されている。また、放電ガスとしては、例えばネオン、アルゴン、キセノン、水銀蒸気等が使用されている。なお、この種の平面放電ランプ１７は、中央鏡扉１１ａのみならず左鏡扉１１ｂ及び右鏡扉１１ｃの両方にも設けられているが、これらは中央鏡扉１１ａのものに対して形状や配置位置が異なるのみで基本的な構造は同じであるので、本例においては中央鏡扉１１ａに取り付いたもののみを説明し、左鏡扉１１ｂ及び右鏡扉１１ｃのものは説明を省略する。また、平面放電ランプ１７（１７ａ，１７ｂ）が平面光源（光源）に相当する。
【００３２】
図３に示すように、鏡１２には、鏡裏面に位置する平面放電ランプ１７の照射光を直接光として鏡前面に引き出す照射部１８が設けられている。本例の照射部１８は、鏡１２のガラス板に金属を設けずにガラス面のみとすることにより形成され、鏡機能のないガラス板のみの透明部となっている。照射部１８がガラス板のみの透明部の場合、この照射部１８には平面放電ランプ１７のランプ面が表れる状態となり、それ以外が鏡部分１２ａとなる。なお、この照射部１８は、鏡裏面の平面放電ランプ１７の照射光を鏡前面に引き出せればよいので、単なる透明のガラス板に限らず、例えばすりガラス、マジックミラー等を採用してもよい。なお、光照射には例えば透過、屈折、反射、吸収等があり、直接光とは、光を反射させることなく使用者を直接照射する光のことを言い、透過にあたるもの（一部は鏡１２に熱として吸収される）と見なせる。
【００３３】
図４〜図６に示すように、鏡裏面保護カバー１４において上部の幅方向両端位置には、平面放電ランプ１７の取り付け先として一対のランプ収納部１９，１９が設けられている。このランプ収納部１９には、平面放電ランプ１７の収納先として収納室１９ａが凹設されている。鏡裏面保護カバー１４においてランプ収納部１９の位置には、収納室１９ａにセットされた平面放電ランプ１７の照射光をカバー外に引き出す開口部２０が貫設されている。この開口部２０は、平面放電ランプ１７のランプ面に合わせて長四角形状に形成されるとともに、ランプ取り付け向き（縦向き）に合わせて、鏡扉１１の高さ方向に延びる形状をとっている。なお、ランプ収納部１９が光源収納部（光源取付部）に相当し、収納室１９ａが収納開口に相当する。
【００３４】
開口部２０の開口周囲には、所定間隔をおいて複数のリブ２１，２１…が形成されている。平面放電ランプ１７は、リブ２１，２１…の奥行き方向面Ｅ１（図６参照）と、ランプ収納部１９の外周壁１９ｂとによって、ランプ面方向（図６の紙面方向）において位置決めされている。また、開口部２０の開口周囲は、平面放電ランプ１７のランプ面よりも小さい面積で形成されている。これにより、平面放電ランプ１７は、この開口周縁２２によってランプ面直交方向（図６の紙面奥行き方向）において位置決めされている。また、図４に示すように、鏡１２と平面放電ランプ１７との間には、開口周縁２２の厚さ分だけ隙間Ｋが形成されている。なお、リブ２１及び開口周縁２２が位置決め部を構成する。
【００３５】
図５に示すように、平面放電ランプ１７の側面において長手方向中央位置には、ランプ筐体内への放電ガスの入口としてガス注入口２３が形成されている。左右に一対ある本例の平面放電ランプ１７ａ，１７ｂは、左右で上下が逆向きになってランプ収納部１９に取り付けられている。これは、例えばガス注入口２３が外側を向いていると、この部材に規制を受けて、平面放電ランプ１７ａ，１７ｂを鏡１２の縁まで寄せて配置することができないので、本例のような向きを取らせることにより、平面放電ランプ１７ａ，１７ｂをできるだけ鏡１２の縁まで寄せて、中央の鏡面領域を確保するためである。平面放電ランプ１７は、ランプ収納部１９にセットされた際、鏡扉高さ方向において中央部に隣接して並ぶ一対の隣接リブ２１ａ，２１ａの間に収まる収納状態をとる。
【００３６】
図５及び図６に示すように、各々のランプ収納部１９には、平面放電ランプ１７の電気接続先としてコネクタ２４が各々設けられている。このコネクタ２４は、各々の平面放電ランプ１７ａ，１７ｂの配置向きに合わせて左右のランプ収納部１９で上下が逆向きに配置され、左側のランプ収納部１９のコネクタ２４ａが室内下部に、右側のランプ収納部１９のコネクタ２４ｂが室内上部に配置されている。ランプ収納部１９にセットされた平面放電ランプ１７は、このコネクタ２４を自身の接続端子（図示略）に接続することによって電気接続されている。
【００３７】
図５に示すように、これら平面放電ランプ１７には、平面放電ランプ１７のコントローラとしてインバータ２５が接続されている。インバータ２５は、商用電源から取り込んだ低周波低電圧の交流電圧を高周波高電圧に変換し、この高周波高電圧の交流電圧Ｖoutを平面放電ランプ１７に印加することで平面放電ランプ１７を点灯させる。インバータ２５は、例えば洗面化粧台１に設置された電源スイッチ２６（図１参照）がオフからオンに操作されると、これを以て起動状態をとり、平面放電ランプ１７を点灯させる。インバータ２５は、鏡扉部分ではなくキャビネット本体７に配置され、鏡扉裏面を伝ってコネクタ２４に繋がる接続配線２７を介して左右の平面放電ランプ１７に接続されている。鏡裏面保護カバー１４には、この接続配線２７を掛け止め可能な配線止め部２８が配線経路に沿って複数設けられている。なお、インバータ２５が駆動制御部に相当し、接続配線２７が配線に相当する。
【００３８】
図５に示すように、中央鏡扉１１ａの内部には、鏡１２と鏡裏面保護カバー１４とで挟まれる状態でヒータ２９が内蔵されている。このヒータ２９は、自身に電源が入ると熱を持ち、この熱で鏡１２を裏面から温めることにより鏡１２の曇止めとして機能する。ヒータ２９は、例えば中央鏡扉１１ａの中央寄り部分を覆う面積で薄い平板形状に形成されるとともに、左右一対の平面放電ランプ１７ａ，１７ｂの間に配置されている。ヒータ２９は、例えば洗面化粧台１に設置された曇止めスイッチ３０（図１参照）がオフからオンに操作されると、自身に電源が入って鏡１２の曇止めを実行する。
【００３９】
図３、図４及び図７に示すように、ランプ収納部１９には、ランプ収納部１９の収納室１９ａを開閉する樹脂製のランプ裏カバー３１が着脱可能に取り付けられている。ランプ裏カバー３１の上端には、略Ｕ字形状に形成された形状変化を許容する一対の弾性片３２，３２が折り曲げ形成され、弾性片３２，３２の先端位置に係止爪３３，３３が各々形成されつつ、ランプ裏カバー３１の下端に一対の挿込爪３４，３４が係止されている。また、ランプ収納部１９の上壁には、係止爪３３，３３を挿し込み可能な一対の第１係止孔３５，３５が貫設されている。ランプ収納部１９の下壁には、挿込爪３４，３４を挿し込み可能な一対の第２係止孔３６，３６が貫設されている。ランプ裏カバー３１の壁面（壁部）には、収納室１９ａ内の熱を室外に逃がす空気ダクト３７がカバー長手方向に沿い連続的に複数形成されている。なお、ランプ裏カバー３１が蓋材に相当し、空気ダクト３７がダクトに相当する。
【００４０】
ランプ裏カバー３１をランプ収納部１９（鏡裏面保護カバー１４）に取り付ける時は、挿込爪３４，３４を第２係止孔３６，３６に挿し込みつつ、この状態を保持して係止爪３３，３３を第１係止孔３５，３５に係止することによってこの作業を行う。このとき、ランプ裏カバー３１は、図７に示すように、リブ２１，２１…の手前面Ｅ２によってランプ面直交方向において位置決めされる。また、ランプ裏カバー３１をランプ収納部１９から外す時は、まず最初に弾性片３２，３２の先端を摘んでこれを下側に押し込むことにより、第１係止孔３５，３５に係止状態にある係止爪３３，３３を第１係止孔３５，３５から外して係止爪３３，３３によるロックを解除し、この後、ランプ裏カバー３１を上方に持ち上げることによってこの作業を行う。
【００４１】
さて、洗面化粧台１の電源スイッチ２６がオフからオンに操作されると、それまで停止状態をとっていたインバータ２５が駆動を開始して、左右一対の平面放電ランプ１７ａ，１７ｂが点灯状態をとる。このとき、平面放電ランプ１７ａ，１７ｂから出された照射光は、そのまま照射部１８を介して前方に送り出され、鏡１２の前に立つ使用者をその前方から照らし出す状態をとる。よって、洗面化粧台１を使用する使用者は前方から照射される明るい光で照らし出されることになるので、使用者の顔や全身が鏡１２に鮮明に映し出される。これにより、使用者は鏡１２に鮮明に映し出された自身を見ながら、化粧等の身だしなみを整えることが可能となる。
【００４２】
また、本例においては、洗面化粧台１の照明である平面放電ランプ１７を鏡１２の裏面に配置したので、鏡１２の鏡面において鏡１２と放電ランプ１７との部品の境目（段部）が鏡面上に露出しなくなる。よって、鏡扉１１の鏡１２は、表面積全域が面一の鏡面となるので、鏡扉１１ひいてはミラーキャビネット６（洗面化粧台１）の意匠性を非常に高いものとすることが可能となる。さらに、洗面化粧台１の照明に平面放電ランプ１７という平板形状の薄い光源を使用するので、鏡扉１１が厚みを持ってしまうこともない。
【００４３】
本実施形態の構成によれば、以下に記載の効果を得ることができる。
（１）鏡扉１１の鏡１２の裏面に平面放電ランプ１７を配置したので、鏡扉１１の鏡面（表面）において鏡１２と放電ランプ１７との境目（段部）が露出するデザインとならない。よって、鏡扉１１の鏡面に、鏡面として不要な形状が表れずに済むので、鏡扉１１の意匠性を高いものとすることができる。また、外観形状として平面形状をとる平面放電ランプ１７を使用しているので、鏡１２の裏面にこの種の光源を配置しても、鏡扉１１の厚さ方向におけるサイズ大型化も極力薄く抑えることができる。
【００４４】
（２）平面放電ランプ１７を鏡１２（鏡扉１１）の照明として使用するので、鏡１２の使用者を鏡１２に鮮明に映り込ませることができる。よって、使用者が鏡１２を見ながら化粧するなどの身だしなみを整える際に、この作業を行い易くすることができる。
【００４５】
（３）鏡１２はミラーキャビネット６の扉部品である鏡扉１１となっているが、本例は鏡１２の意匠性が高いので、この種の鏡扉１１に扉として高い意匠性を持たせたい場合であっても、この要望を満たすことができる。
【００４６】
（４）鏡扉１１の照明として放電ランプ１７を使用しているが、この種の放電ランプ１７には、例えばＬＥＤ式のエッジライト、有機ＥＬ、通常の蛍光灯等と比較した場合、例えば照度が高い、均一面発光、高耐久性、長寿命、使用温度域が広いなどの種々の利点があるので、本例のように光源として放電ランプ１７を使用すれば、これらの効果を享受することができる。また、この種の放電ランプ１７には部品形状に自由度が高いという利点もあるので、本例のように光源として放電ランプ１７を使用すれば、様々な平面形状をとらせることができる。さらには、放電ランプ１７に使用する蛍光体や放電ガスの種類によって、様々な色の光を照射光として使用することもできる。
【００４７】
鏡扉１１の照明として放電ランプ１７を使用しているが、この種の放電ランプ１７には、ランプが点灯状態をとるときに重厚感を持って光る点灯特性がある。よって、本例のように鏡扉１１の照明として放電ランプ１７を使用すれば、例えばこの種の光源に蛍光灯等を使用する場合に比べて、照明に高級感を持たせることができる。
【００４８】
（５）平面放電ランプ１７は鏡１２に一体に取り付けられているので、例えばこれを鏡１２（鏡扉１１）に平面放電ランプ１７が組み付いた１つの部品ユニットとして製造することができる。よって、鏡１２（鏡扉１１）と平面放電ランプ１７との部品群を、１つのユニット部品として販売することができる。
【００４９】
（６）鏡扉１１の裏面に、鏡１２の裏面を保護する鏡裏面保護カバー１４を設けたので、鏡扉１１の裏面を衝撃等から保護することができる。
（７）ランプ収納部１９はランプ裏カバー３１により蓋をすることが可能であるので、平面放電ランプ１７をランプ収納部１９に収納した後、ランプ収納部１９をランプ裏カバー３１で蓋をすれば、平面放電ランプ１７が露出のままの状態をとらない。よって、平面放電ランプ１７に破損原因となる衝撃が加わり難くなり、平面放電ランプ１７に破損を生じ難くすることができる。
【００５０】
（８）ランプ裏カバー３１に空気ダクト３７を設けたので、収納室１９ａ内の空気を室外に排気可能となる。よって、収納室１９ａ内の平面放電ランプ１７が熱を持って収納室１９ａ内の空気が熱くなったとしても、この熱が空気ダクト３７から室外に放出されるので、平面放電ランプ１７を過熱から保護することができる。
【００５１】
（９）ランプ収納部１９に、この収納室１９ａに収納される平面放電ランプ１７の位置決め部品として、複数のリブ２１，２１…や開口周縁２２を設けた。よって、平面放電ランプ１７をランプ収納部１９に収納するに際しては、これらリブ２１，２１…や開口周縁２２によってその取り付け位置が案内されるので、平面放電ランプ１７をずれた位置ではなく、好適な位置に簡単に取り付けることが可能となる。
【００５２】
（１０）本例の鏡１２は三面鏡であるので、例えば仮に両サイドの鏡扉１１ｂ，１１ｃに平面放電ランプ１７を各々取り付けた場合、これら鏡扉１１ｂ，１１ｃの配置角度（配置向き）を切り換えれば、これら平面放電ランプ１７から鏡１２の使用者に照射される光の向きを自由に切り変えることが可能となる。よって、鏡１２の使用者に照射される光の照射向きを自由に変更することが可能となるので、使用者を明る過ぎもなく暗過ぎもなく好適な明るさで照らし出すことができる。また、中央鏡扉１１ａにのみ平面放電ランプ１７を取り付けた場合であっても、両サイドの鏡扉１１ｂ，１１ｃに角度を持たせれば、中央鏡扉１１ａの平面放電ランプ１７から鏡１２の使用者に向かう光は、両サイドの鏡扉１１ｂ，１１ｃの配置角度に応じて反射量が変わるので、この場合も使用者に対する光の当て具合を適宜調整することができる。
【００５３】
（１１）左右の一対の平面放電ランプ１７ａ，１７ｂとして同じランプ部品を使用し、これら平面放電ランプ１７ａ，１７ｂに各々のガス注入口２３が互いに向き合う位置状態とらせるべく、これら平面放電ランプ１７ａ，１７ｂをその左右で上下逆向きに配置した。これにより、平面放電ランプ１７ａ，１７ｂをできるだけ鏡１２の縁まで寄せて配置することが可能となるので、鏡１２の中央の鏡面領域を極力広くとることができる。
【００５４】
（１２）鏡扉１１には、曇止め用のヒータ２９が設けられているので、鏡１２に曇りが発生し難くなる。よって、この曇止め機能を洗面化粧台１に設けて洗面化粧台１を多機能化すれば、その分だけ使い勝手をよくすることができる。
【００５５】
（１３）鏡扉１１の裏面に、平面放電ランプ１７とインバータ２５とを繋ぐ接続配線２７を止めておく配線止め部２８を設けたので、この接続配線２７が鏡扉１１の裏面で邪魔になり難い。
【００５６】
（１４）鏡１２に、その裏面から平面放電ランプ１７を一体に取り付けるので、平面放電ランプ１７が点灯時に発生する熱が鏡１２に伝達され易くなる。よって、平面放電ランプ１７から発生される熱により、鏡１２の曇止め効果が期待されるので、鏡１２に曇り（結露も含む）をより一層発生し難くすることができる。
【００５７】
（１５）鏡１２に光透過可能な照射部１８を設け、鏡１２の裏面に位置する平面放電ランプ１７の照射光を、この照射部１８を通して鏡１２の前面から引き出すことにより、使用者に照射光を直接当てる直接照明としている。よって、使用者に照射される光量が多くとれるので、より明るい照明を行うことができる。
【００５８】
なお、実施形態はこれまでに述べた構成に限らず、以下の態様に変更してもよい。
・  平面放電ランプ１７が鏡扉１１に配置され、インバータ２５がキャビネット本体７に配置されるように、平面放電ランプ１７とインバータ２５とが各々別の位置に配置されることに限定されない。例えば、図８に示すように、平面放電ランプ１７とインバータ２５（要は回路基板）との両方を鏡扉１１に配置してもよい。この場合、図８に示すように、平板形状のシャーシ４１に平面放電ランプ１７とインバータ２５とを並び配置状態に取り付け、このシャーシ部品を鏡扉１１の裏面に取り付けることになる。ところで、平面放電ランプ１７とインバータ２５との取り付け先が異なる場合、例えばこれら部品を１ユニット化して売り出せない、これら両部品を繋ぐ配線の取り回しが面倒、これら各々の部品に対して組付作業が必要などの諸問題が発生する。しかし、この例のように平面放電ランプ１７とインバータ２５とを１つのユニット部品とすれば、これらの諸問題が解決することになる。即ち、平面放電ランプ１７とインバータ２５とをユニット化すれば、これら部品を１つの部品として売り出すことができる。また、平面放電ランプ１７とインバータ２５とが隣接することになるので、これらを繋ぐ配線が短く済み、配線取り回しに苦労しない。さらに、これら部品群を洗面化粧台１に組み付ける際の作業が少なく済むので、部品組付作業の簡素化を図ることが可能となる。
【００５９】
・  平面放電ランプ１７の配置位置は、必ずしも中央鏡扉１１ａの上部両端寄りの位置に限定されない。例えば、図９（ａ）〜（ｅ）に示すように、鏡扉１１（三面鏡）の上部、下部、上下両方、両側部（片方も可）、周囲等、どの位置に配置されてもよい。
【００６０】
・  平面放電ランプ１７は、図１０に示すように、ヒンジ部１３の縦ライン全域に亘って配置してもよい。
・  平面放電ランプ１７は、図１１に示すように、三面鏡の両端部、即ち左鏡扉１１ｂ及び右鏡扉１１ｃにおいて各々の外側端部に配置された小さめのランプでもよい。
【００６１】
・  平面放電ランプ１７は、図１２に示すように、中央鏡扉１１ａの上部のみに配置してもよい。
・  平面放電ランプ１７は、例えば図１３に示すように、中央鏡扉１１ａの上部及び下部の両方に配置してもよい。
【００６２】
・  平面放電ランプ１７の照射部１８は、必ずしもランプ面に合わせた長四角形状に限定されない。例えば、図１４（ａ）〜（ｄ）に示すように、複数の小孔としてもよい。なお、図１４（ａ）は複数の円が格子状に並んだ例、図１４（ｂ）は幅方向全域に亘って延びる長孔が高さ方向に２つ並んだ例、図１４（ｃ）は高さ方向に短く延びる長孔が幅方向に複数並んだ例、図１４（ｄ）は大きさが異なるスリットが高さ方向に複数並んだ例である。
【００６３】
・  平面放電ランプ１７は、図１５に示すように、鏡扉１１（三面鏡）の四隅に配置してもよい。
・  平面放電ランプ１７は、必ずしも一方側のみの面が光るランプ構造をとることに限定されない。例えば、図１６に示すように、平面放電ランプ１７を両面発光式にするとともに、鏡裏面保護カバー１４を透明樹脂から形成するなどして、鏡扉１１の裏面にも光が照射される構造をとってもよい。ところで、ミラーキャビネット６の収納室８〜１０内は光が照射されないと非常に暗いという現状があるので、収納室８〜１０に照明を当てたいという要望は強くある。そこで、例えば照明として蛍光灯を使用した場合、仮に蛍光灯を鏡扉１１の表面だけでなく裏面にも取り付けると、その分だけ鏡扉１１が厚くなる問題が発生し、また照明としてＬＥＤを使用した場合、これはスポット照明しかできないので、収納室８〜１０の全体を明るく照らし出すことができない問題が発生する。しかし、本例のように平面放電ランプ１７を両面発光式にすれば、鏡扉１１が厚くならずに収納室８〜１０の全体に照明を当てることができる。
【００６４】
・  平面放電ランプ１７は、照射光が使用者に向けて発せられる直接照明に限定されず、図１７（ａ）に示すような間接照明としてもよい。この場合は、鏡扉１１の端縁全域（一部でも可）を開口してこれを光出口４２として形成し、平面放電ランプ１７の光をこの光出口４２から放射させることにより、平面放電ランプ１７の光を間接光として使用する。また、この時の平面放電ランプ１７の光照射方向は、必ずしも前方方向に限定されない。例えば、図１７（ｂ）に示すように、鏡１２の裏面に平面放電ランプ１７を取り付け、平面放電ランプ１７から後方方向に照らし出された光を、鏡裏面保護カバー１４の内面（光反射面）で反射させて、これを間接光として引き出してもよい。なお、間接光とは、光を例えば反射板等を用いて使用者を直接照射しない光のことを言い、反射や屈折を伴う光のことを言う。
【００６５】
・  左鏡扉１１ｂ及び右鏡扉１１ｃは、一方向にのみ開き操作可能であることに限定されない。例えば、図１８（ａ），（ｂ）に示すように、左鏡扉１１ｂ及び右鏡扉１１ｃを左右両開き式としてもよい。この場合、左鏡扉１１ｂ及び右鏡扉１１ｃを開閉操作する際に、操作方向が１つのみに制限されないので、扉開閉操作の利便性をよくすることが可能となる。更に、これに加えて更に平面放電ランプ１７を表裏両方に照射可能とすれば、キャビネット本体７内の収納室１９ａも明るく照らし出されるので、更なる利便性向上に効果が高くなる。
【００６６】
・  平面放電ランプ１７は、鏡１２の裏面に配置される場合、これは必ずしも鏡扉１１に取り付けられることに限定されない。即ち、平面放電ランプ１７は鏡１２の裏面側に配置されていればよいので、図１９に示すように、例えばキャビネット本体７に取り付けられていてもよい。
【００６７】
・  鏡１２は、画が映り込む鏡部分１２ａと、平面放電ランプ１７の光を通す照射部１８とが面一となっていることに限定されない。例えば、図２０に示すように、照射部１８を内側へ向くように角度を付けて配置してもよい。この場合、鏡前面に立つ使用者に、より多くの照射光を当てることが可能となるので、平面放電ランプ１７の照射効率を向上することができる。
【００６８】
・  平面放電ランプ１７は、電源スイッチ２６がオン操作された時に点灯し、電源スイッチ２６がオフ操作されると消灯する操作形式に限定されない。例えば、洗面化粧台１に赤外線センサ等の各種センサを配置し、このセンサが人を検知したときに、自動で平面放電ランプ１７が点灯するようにしてもよい。また、この種のセンサ式の場合、例えば洗面化粧台１の上部と下部に各々センサを取り付け、両方のセンサで物体を検知すると、その時の使用者が人であると判定して平面放電ランプ１７を点灯させ、両センサのうち下部のセンサのみで物体を検知した場合には、この時の使用者がペットであると判定して平面放電ランプ１７を点灯させないようにしてもよい。
【００６９】
・  平面放電ランプ１７のランプ面は、必ずしも何も規制のない透かし面に限定されない。例えば、ランプ面にサンドブラストを施して、ランプ面を粗い形状としてもよい。この場合、平面放電ランプ１７の照射光は、サンドブラストによる加工面により光が周囲に散らされるので、光の眩しさを軽減することができる。
【００７０】
・  ヒータ２９は、曇止めスイッチ３０がオンの状態をとる間、継続して起動状態をとることに限定されない。例えば、ヒータ２９の電源が投入されてからの経過時間をタイマで計時し、これがタイムアップした際に、ヒータ２９の電源を自動でオフするものでもよい。
【００７１】
・  平面放電ランプ１７は、点灯時に発生する熱が鏡１２の曇止め用の熱として利用されてもよい。この例としては、例えば鏡１２の裏面に平面放電ランプ１７を直接密着させて、平面放電ランプ１７の発生熱を鏡１２に直接加えて鏡１２の曇止めを図ってもよいし、或いは熱伝導部材（例えば金属板や熱伝導性両面テープ等）を介して平面放電ランプ１７を鏡１２に取り付け、平面放電ランプ１７の熱を熱伝導部材により鏡１２に積極的に伝えることで鏡１２の曇止めを図ってもよい。この場合、平面放電ランプ１７が発生する熱を、鏡１２の曇止め用に有効利用することができる。ところで、上述したように鏡扉１１にヒータ２９を取り付けて鏡１２の曇止めを図ることも可能であるが、この種のヒータ２９は鏡面において自身の周囲には熱が行き渡り難いことから、鏡面において自身が位置する箇所の曇止めは行うことができるが、その周囲は曇止めできない現状がある。よって、平面放電ランプ１７の発生熱を曇止めとして利用する場合、例えばこの熱をヒータ２９の熱が行き渡り難い箇所に配置すれば、鏡面の広範囲に曇止め用の熱を行き渡らせることが可能となるので、鏡１２をより広範囲に亘って曇止めすることができる。
【００７２】
・  平面放電ランプ１７は、一定の明るさのみで点灯することに限定されない。即ち、洗面化粧台１に光量調整スイッチを設け、このスイッチを操作することにより、平面放電ランプ１７の明るさを変更可能としてもよい。
【００７３】
・  各鏡扉１１ａ〜１１ｃに平面放電ランプ１７を設けた場合、これは操作系が１系統のみであることに限定されない。例えば、中央鏡扉１１ａ、左鏡扉１１ｂ及び右鏡扉１１ｃの各々の平面放電ランプ１７ごとに電源スイッチを設け、各々が個別の操作系統で点灯消灯操作が可能であってもよい。
【００７４】
・  平面放電ランプ１７の形状は、その平面視が長四角形状であることに限定されない。例えば、図２１（ａ）に示すように円形状としてもよいし、或いは図２１（ｂ）に示すように三角形状としてもよい。
【００７５】
・  インバータ（回路基板）２５の配置位置は、必ずしもキャビネット本体７や鏡扉１１であることに限定されない。即ち、インバータ２５の配置位置は、例えば洗面台２の内部に組み込んだりするなど、その配置位置は特に限定されない。
【００７６】
・  平面放電ランプ１７及びインバータ（回路基板）２５の両方を鏡扉１１の裏面に配置する場合、図２２（ａ），（ｂ）に示すように、その配置位置（位置関係）は適宜変更可能である。
【００７７】
・  平面放電ランプ１７の取り付け先は、必ずしも鏡裏面保護カバー１４（ランプ収納部１９）に限定されない。例えば、図２３に示すように、鏡扉１１から鏡裏面保護カバー１４を省略し、上部フレーム１５（下部フレーム１６も可）に平面放電ランプ１７を直に取り付けてもよい。また、これは鏡扉１１にインバータ２５を取り付ける場合、インバータ２５にも応用可能である。
【００７８】
・  平面放電ランプ１７及びインバータ（回路基板）２５の両方をともに鏡扉１１の裏面に配置する場合、図２４に示すように、鏡扉１１を閉じた時にインバータ２５を専用に収納するインバータ収納部２５ａを、キャビネット本体７に形成してもよい。
【００７９】
・  鏡１２と平面放電ランプ１７とは、必ずしも別部品であることに限定されない。ところで、この種の放電ランプ１７は、光を外部に送り出す関係上、そのランプ面がガラス板により形成されている。よって、図２５に示すように、この種の平面放電ランプ１７のガラス板４３を鏡１２の一部として使用することにより、放電ランプ１７のガラス板４３を鏡１２のガラス板と兼用してもよい。
【００８０】
・  平面放電ランプ１７をキャビネット本体７に取り付ける場合、図２６に示すように、キャビネット本体７の内側壁４４においてその壁面に取り付けてもよい。
・  鏡扉１１は、必ずしも複数設けることに限らず、例えば１枚のみでもよい。また、鏡扉１１の開閉形式は、必ずしも横開き式に限らず、例えば上開き式や下開き式としてもよい。また、鏡扉１１の開閉形式は、この種の開き式に限らず、例えば扉を横方向に移動させるスライド式や、棚を前後方向に移動させる引き出し式でもよい。
【００８１】
・  鏡扉１１は、必ずしも洗面化粧台１に使用されることに限らず、例えばキッチンキャビネット等の他の扉に適用してもよい。
・  平面放電ランプ１７のランプ幅は、太くしたり或いは細くしたり自由に変更可能である。
【００８２】
・  平面放電ランプ１７は、必ずしも鏡１２の裏面から所定隙間を持った状態で取り付けられることに限らず、鏡１２の裏面に直付けされる構造（要はランプが剥き出した取付状態）をとっていてもよい。この場合、平面放電ランプ１７が発生する熱をより効率良く鏡１２に伝えることが可能となるので、鏡１２の曇止め効果がより一層期待できる。
【００８３】
・  平面光源は、必ずしも誘電体バリア放電を利用して光を発生する放電ランプに限定されない。要は、部品厚みさえなければ、光源は例えば蛍光灯、ＬＥＤを用いてもよい。なお、光源がＬＥＤの場合、平面光源の厚さを極力薄くするには、エッジライトを採用するとよい。
【００８４】
・  鏡１２は、全体がマジックミラーとなっているものでもよい。
・  平面放電ランプ１７は、鏡１２の裏面に配置するに際して、その取り付け先が鏡裏面保護カバー１４であることに限定されず、例えば鏡１２に直付けされる構造をとってもよい。
【００８５】
・  平面放電ランプ１７の収納方式は、例えば鏡扉１１に対してその横方向（鏡面方向）から挿し込む方式を採用してもよい。
・  ランプ裏カバー３１は、必ずしも取り外し式に限らず、例えば開き操作式でもよい。
【００８６】
・  空気ダクト３７は、必ずしもランプ裏カバー３１に設けられることに限らず、ランプ収納部１９の収納室１９ａの室内外を繋ぐ孔であれば、どこの設けてもよい。
・  鏡１２は、平面放電ランプ１７が位置するランプ面部分（照射部１８）が鏡部分１２ａに対して固定であることに限定されない。例えば、図２７に示すように、鏡扉１１において平面放電ランプ１７が取り付けられたランプ部１２ｘをヒンジ機構Ｈにより鏡部分１２ａに連結し、このランプ部１２ｘの傾斜角度（前傾角度）を変更可能としてもよい。この場合、ランプ部１２ｘの傾斜角度を変えることで、平面放電ランプ１７の照射向きを切り換えることが可能となるので、より好適な明るさで鏡１２の使用者を照明することができる。
【００８７】
・  照明機能付き物品は、鏡１２に平面放電ランプ１７を取り付けた照明付き鏡（本例は鏡扉１１）であることに限らず、例えば鏡１２を省略した単なる照明付き扉でもよい。また、照明機能付き物品は、図２８に示すように、絵画等の画が載ったボード４５の裏面に平面放電ランプ１７を取り付けた照明付きインテリア４６（直接照明、間接照明は問わない）でもよいし、或いは図２９に示すように、透明ガラスからなる窓４７の裏面に平面放電ランプ１７を取り付けた照明付き窓４８でもよい。
【００８８】
・  実施形態や変形例で述べた各種技術は、各々適宜組み合わせ可能であることは言うまでもない。
次に、上記実施形態及び別例から把握できる技術的思想について、それらの効果とともに以下に追記する。
【００８９】
（１）請求項１〜１５のいずれかにおいて、前記平面光源の点灯を管理する駆動制御部は、前記基材を支持する支持部材に一体に取り付けられている。この構成によれば、駆動制御部は基材ではなくこれを支持する支持部材に取り付けられているので、この駆動制御部を基材に取り付ける必要がない。このため、駆動制御部を取り付けずに済む分だけ、基材の重量を軽減することが可能となる。
【００９０】
（２）請求項１〜１５、前記技術的思想（１）のいずれかにおいて、前記平面光源は、前記基材を支持する支持部に取り付けられている。この構成によれば、基材に平面光源を取り付けずに済むので、その分だけ基材の重量を低く抑えることが可能となる。
【００９１】
（３）前記技術的思想（１），（２）のいずれかにおいて、前記照射部は、複数の孔からなる形状をとっている。この構成によれば、平面光源の照射光を様々なバリエーションの光として照射することが可能となる。
【図面の簡単な説明】
【００９２】
【図１】一実施形態における洗面化粧台の外観を示す斜視図。
【図２】洗面化粧台のミラーキャビネットの外観を示す斜視図。
【図３】中央鏡扉の外観を表側と裏側とから見た斜視図。
【図４】中央鏡扉の平面放電ランプ部分における縦断面図。
【図５】ランプ裏カバーを外した状態の中央鏡扉の正面図。
【図６】平面放電ランプを外した状態の照明部の正面図。
【図７】中央扉の平面放電ランプ部分における平断面図。
【図８】別例における鏡扉の概略構成を示す分解斜視図。
【図９】（ａ）〜（ｅ）は別例においてランプの他の配置パターンを示す模式図。
【図１０】他の別例におけるランプの一配置パターンを示す模式図。
【図１１】他の別例におけるランプの一配置パターンを示す模式図。
【図１２】他の別例におけるランプの一配置パターンを斜視で示した模式図。
【図１３】他の別例におけるランプの一配置パターンを示す模式図。
【図１４】（ａ）〜（ｄ）は別例における照射部の他の形状例を示す模式図。
【図１５】他の別例におけるランプの一配置パターンを示す模式図。
【図１６】他の別例における鏡扉のランプ部分を側面から見た模式図。
【図１７】（ａ），（ｂ）他の別例における鏡扉のランプ部分を側面から見た模式図。
【図１８】（ａ），（ｂ）は他の別例において両開き式の鏡扉を斜視で示した模式図。
【図１９】他の別例におけるミラーキャビネットのランプ部分を側面から見た模式図。
【図２０】他の別例におけるミラーキャビネットのランプ部分を側面から見た模式図。
【図２１】（ａ），（ｂ）は他の別例におけるランプの一配置パターンを示す模式図。
【図２２】（ａ），（ｂ）他の別例において裏面側から見た鏡扉を斜視で示した模式図。
【図２３】他の別例における鏡扉のランプ部分を側面から見た模式図。
【図２４】他の別例におけるミラーキャビネットの照明部付近を側面から見た模式図。
【図２５】他の別例における鏡扉のランプ部分を側面から見た模式図。
【図２６】他の別例におけるミラーキャビネットの一具体例を斜視で示した模式図。
【図２７】他の別例におけるミラーキャビネットの照明部付近を側面から見た模式図。
【図２８】他の別例における照明付きインテリアの外観を示す斜視図。
【図２９】他の別例における照明付き窓の外観を示す斜視図。
【符号の説明】
【００９３】
８〜１０…開口入口としての収納室、１１（１１ａ〜１１ｃ）…照明機能付き物品を構成する鏡扉、１２…基材（鏡部品）及び基材本体部を構成する鏡、１４…基材（鏡部品）及び裏面保護部材を構成する鏡裏面保護カバー、１７（１７ａ，１７ｂ）…平面光源（光源）としての平面放電ランプ、１８…照射部、１９…光源収納部（光源取付部）を構成するランプ収納部、１９ａ…収納開口としての収納室、２１…位置決め部を構成するリブ、２２…位置決め部を構成する開口周縁、２３…注入口としてのガス注入口、２５…駆動制御部としてのインバータ、２７…配線としての接続配線、２８…配線止め部、２９…ヒータ、３１…蓋材としてのランプ裏カバー、３７…ダクトとしての空気ダクト。
【図１】
2009272094.tif 000003
【図２】
2009272094.tif 000004
【図３】
2009272094.tif 000005
【図４】
2009272094.tif 000006
【図５】
2009272094.tif 000007
【図６】
2009272094.tif 000008
【図７】
2009272094.tif 000009
【図８】
2009272094.tif 000010
【図９】
2009272094.tif 000011
【図１０】
2009272094.tif 000012
【図１１】
2009272094.tif 000013
【図１２】
2009272094.tif 000014
【図１３】
2009272094.tif 000015
【図１４】
2009272094.tif 000016
【図１５】
2009272094.tif 000017
【図１６】
2009272094.tif 000018
【図１７】
2009272094.tif 000019
【図１８】
2009272094.tif 000020
【図１９】
2009272094.tif 000021
【図２０】
2009272094.tif 000022
【図２１】
2009272094.tif 000023
【図２２】
2009272094.tif 000024
【図２３】
2009272094.tif 000025
【図２４】
2009272094.tif 000026
【図２５】
2009272094.tif 000027
【図２６】
2009272094.tif 000028
【図２７】
2009272094.tif 000029
【図２８】
2009272094.tif 000030
【図２９】
2009272094.tif 000031